(57)【要約】【課題】電話網からの網側回線が使用できない場合でも、電話システムの外線系に関する設定確認を実施可能とする。【解決手段】擬似呼制御部１５が、自装置が電話システムの設定内容を確認するための擬似呼制御モードで動作する際、網側Ｉ／Ｆ部１３を介してゲートウェイ処理部１４との間で呼制御メッセージをやり取りすることにより、電話システム２０を擬似的に呼制御する。【選択図】  図１
2018011187.tif 000002
【特許請求の範囲】
【請求項１】
ＩＰ電話網側の網側回線と複数の電話端末を内線収容する電話システム側の複数の電話回線とを交換接続するＶｏＩＰゲートウェイ装置であって、
前記網側回線と接続し、前記ＩＰ電話網側との間で呼制御メッセージをやり取りする網側Ｉ／Ｆ部と、
前記電話回線を介して前記電話システムとの間でやり取りする呼制御信号と前記呼制御メッセージとを相互に変換するゲートウェイ処理部と、
自装置が前記電話システムの設定内容を確認するための擬似呼制御モードで動作する際、前記網側Ｉ／Ｆ部を介して前記ゲートウェイ処理部との間で前記呼制御メッセージをやり取りすることにより、前記電話システムを擬似的に呼制御する擬似呼制御部と
を備えることを特徴とするＶｏＩＰゲートウェイ装置。
【請求項２】
請求項１に記載のＶｏＩＰゲートウェイ装置において、
前記ゲートウェイ処理部は、前記電話回線のうち第１の電話回線に対して前記電話システムから送出された、前記電話回線のうち第２の電話回線に対する外線発信を示す呼制御信号に応じて、前記外線発信を示す発呼用呼制御メッセージを前記網側Ｉ／Ｆ部へ通知し、
前記擬似呼制御部は、前記網側Ｉ／Ｆ部を介して通知された前記発呼用呼制御メッセージに応じて、前記第２の電話回線に対する外線着信を示す着呼用呼制御メッセージを生成して前記網側Ｉ／Ｆ部へ通知し、
前記ゲートウェイ処理部は、前記網側Ｉ／Ｆ部を介して通知された前記着呼用呼制御メッセージに応じて、前記第２の電話回線に対する外線着信を示す呼制御信号を前記第２の電話回線から前記電話システムへ送出する
ことを特徴とするＶｏＩＰゲートウェイ装置。
【請求項３】
請求項１または請求項２に記載のＶｏＩＰゲートウェイ装置において、
前記網側Ｉ／Ｆ部は、前記網側回線の使用可否を検出し、前記網側回線が使用不可の場合には、自装置の動作モードを前記擬似呼制御モードに切替設定し、前記ゲートウェイ処理部と前記擬似呼制御部との間で前記呼制御メッセージをやり取りすることを特徴とするＶｏＩＰゲートウェイ装置。
【請求項４】
請求項１〜請求項３のいずれかに記載のＶｏＩＰゲートウェイ装置において、
前記網側Ｉ／Ｆ部は、前記網側回線の使用可否を検出し、前記網側回線が使用可の場合には、自装置の動作モードを通常モードに切替設定し、前記ゲートウェイ処理部と前記ＩＰ電話網側との間で前記呼制御メッセージをやり取りすることを特徴とするＶｏＩＰゲートウェイ装置。
【請求項５】
請求項１に記載のＶｏＩＰゲートウェイ装置において、
前記ゲートウェイ処理部は、端末Ｉ／Ｆ部を介して接続されたＩＰ端末から送出された、前記電話回線のうち第２の電話回線に対する外線発信を示す呼制御メッセージに応じて、前記外線発信を示す発呼用呼制御メッセージを前記網側Ｉ／Ｆ部へ通知し、
前記擬似呼制御部は、前記網側Ｉ／Ｆ部を介して通知された前記発呼用呼制御メッセージに応じて、前記第２の電話回線に対する外線着信を示す着呼用呼制御メッセージを生成して前記網側Ｉ／Ｆ部へ通知し、
前記ゲートウェイ処理部は、前記網側Ｉ／Ｆ部を介して通知された前記着呼用呼制御メッセージに応じて、前記第２の電話回線に対する外線着信を示す呼制御信号を前記第２の電話回線から前記電話システムへ送出する
ことを特徴とするＶｏＩＰゲートウェイ装置。
【発明の詳細な説明】
【技術分野】
【０００１】
本発明は、内線収容している複数の電話端末を電話網に交換接続する電話システムにおける各種設定を確認するための設定確認技術に関する。
【背景技術】
【０００２】
複数の電話端末を電話網に交換接続するビジネスホンなどの電話システムには、発着信機能として、電話網からの網側回線すなわち外線に接続されている外部の相手電話機に関する外線発着信機能と、同一電話システムの内線に収容されている電話端末に関する内線発着信機能とがあり、同じ電話端末で外線発着信機能と内線発着信機能とを利用者が使い分けることができる。
【０００３】
このため、電話システムでは、利用者が外線／内線の違いを容易に認識できるよう、電話端末で表示するＬＥＤの点灯色および点滅パターンの種類や、電話端末から送出する着信音の種類を、予め電話システムに設定されている設定内容に基づいて、外線／内線に応じて区別している（例えば、特許文献１など参照）。
【先行技術文献】
【特許文献】
【０００４】
【特許文献１】特開平０７−０３０６６５号公報
【発明の概要】
【発明が解決しようとする課題】
【０００５】
従来、このような電話システムにおける各種設定は、専門的な知識が必要となるため、電話システムを設置する際、工事者が設定し、設定内容を確認するものとなっている。
この際、特に外線に関する機能について設定内容に誤りがないことを確認するには、工事者が、実際に電話網を経由して電話システムを呼び出して外線着信表示を確認する作業や、電話網に接続された相手電話機に対して電話端末から外線発信を確認する作業が必要となる。
【０００６】
このため、電話システムの設定確認時には、電話網からの網側回線が電話システムに接続されている必要があり、何らかの理由で網側回線が使用できない場合、電話システムの外線系に関する設定確認を実施できないという問題点があった。
【０００７】
本発明はこのような課題を解決するためのものであり、電話網からの網側回線が使用できない場合でも、電話システムの外線系に関する設定確認を実施できる設定確認技術を提供することを目的としている。
【課題を解決するための手段】
【０００８】
このような目的を達成するために、本発明にかかるＶｏＩＰゲートウェイ装置は、ＩＰ電話網側の網側回線と複数の電話端末を内線収容する電話システム側の複数の電話回線とを交換接続するＶｏＩＰゲートウェイ装置であって、前記網側回線と接続し、前記ＩＰ電話網側との間で呼制御メッセージをやり取りする網側Ｉ／Ｆ部と、前記電話回線を介して前記電話システムとの間でやり取りする呼制御信号と前記呼制御メッセージとを相互に変換するゲートウェイ処理部と、自装置が前記電話システムの設定内容を確認するための擬似呼制御モードで動作する際、前記網側Ｉ／Ｆ部を介して前記ゲートウェイ処理部との間で前記呼制御メッセージをやり取りすることにより、前記電話システムを擬似的に呼制御する擬似呼制御部とを備えている。
【０００９】
また、本発明にかかる上記ＶｏＩＰゲートウェイ装置の一構成例は、前記電話回線のうち第１の電話回線に対して前記電話システムから送出された、前記電話回線のうち第２の電話回線に対する外線発信を示す呼制御信号に応じて、前記外線発信を示す発呼用呼制御メッセージを前記網側Ｉ／Ｆ部へ通知し、前記擬似呼制御部は、前記網側Ｉ／Ｆ部を介して通知された前記発呼用呼制御メッセージに応じて、前記第２の電話回線に対する外線着信を示す着呼用呼制御メッセージを生成して前記網側Ｉ／Ｆ部へ通知し、前記ゲートウェイ処理部は、前記網側Ｉ／Ｆ部を介して通知された前記着呼用呼制御メッセージに応じて、前記第２の電話回線に対する外線着信を示す呼制御信号を前記第２の電話回線から前記電話システムへ送出するようにしたものである。
【００１０】
また、本発明にかかる上記ＶｏＩＰゲートウェイ装置の一構成例は、前記網側Ｉ／Ｆ部が、前記網側回線の使用可否を検出し、前記網側回線が使用不可の場合には、自装置の動作モードを前記擬似呼制御モードに切替設定し、前記ゲートウェイ処理部と前記擬似呼制御部との間で前記呼制御メッセージをやり取りするようにしたものである。
【００１１】
また、本発明にかかる上記ＶｏＩＰゲートウェイ装置の一構成例は、前記網側Ｉ／Ｆ部が、前記網側回線の使用可否を検出し、前記網側回線が使用可の場合には、自装置の動作モードを通常モードに切替設定し、前記ゲートウェイ処理部と前記ＩＰ電話網側との間で前記呼制御メッセージをやり取りするようにしたものである。
【００１２】
また、本発明にかかる上記ＶｏＩＰゲートウェイ装置の一構成例は、前記ゲートウェイ処理部は、端末Ｉ／Ｆ部を介して接続されたＩＰ端末から送出された、前記電話回線のうち第２の電話回線に対する外線発信を示す呼制御メッセージに応じて、前記外線発信を示す発呼用呼制御メッセージを前記網側Ｉ／Ｆ部へ通知し、前記擬似呼制御部は、前記網側Ｉ／Ｆ部を介して通知された前記発呼用呼制御メッセージに応じて、前記第２の電話回線に対する外線着信を示す着呼用呼制御メッセージを生成して前記網側Ｉ／Ｆ部へ通知し、前記ゲートウェイ処理部は、前記網側Ｉ／Ｆ部を介して通知された前記着呼用呼制御メッセージに応じて、前記第２の電話回線に対する外線着信を示す呼制御信号を前記第２の電話回線から前記電話システムへ送出するようにしたものである。
【発明の効果】
【００１３】
本発明によれば、ＩＰ電話網側の網側回線が使用できない場合でも、ＶｏＩＰゲートウェイ装置により電話システムが擬似的に呼制御されることになる。このため、電話システムから自装置に収容している電話回線へ外線発信することにより、電話回線に対する設定確認を実施することが可能となる。
【図面の簡単な説明】
【００１４】
【図１】ＶｏＩＰゲートウェイ装置の構成を示すブロック図である。
【図２】第１の実施の形態にかかる設定確認動作の概略を示す説明図である。
【図３】第１の実施の形態にかかる設定確認動作を示すシーケンス図である。
【図４】第２の実施の形態にかかる設定確認動作の概略を示す説明図である。
【図５】第２の実施の形態にかかる設定確認動作を示すシーケンス図である。
【発明を実施するための形態】
【００１５】
次に、本発明の実施の形態について図面を参照して説明する。
［第１の実施の形態］
まず、図１を参照して、本発明の第１の実施の形態にかかるＶｏＩＰゲートウェイ装置１０について説明する。図１は、ＶｏＩＰゲートウェイ装置の構成を示すブロック図である。
このＶｏＩＰゲートウェイ装置１０は、ＩＰ電話網ＮＷと電話システム２０との間に接続されて、ＩＰ電話網ＮＷとやり取りする呼制御メッセージと電話システム２０とやり取りする呼制御信号とを相互にプロトコル変換して、ＩＰ電話網ＮＷ側の網側回線Ｌ１と電話システム２０側の電話回線Ｌ２とを交換接続することにより、電話システム２０によるＩＰ電話網ＮＷを用いたＶｏＩＰ（Voice over Internet Protocol）通話を実現する機能を有している。
【００１６】
電話システム２０は、電話回線Ｌ２を介してＶｏＩＰゲートウェイ装置１０と接続された電話制御装置ＭＥと、内線回線ＬＮを介して電話制御装置ＭＥに内線接続されているｎ（ｎは２以上の整数）個の電話端末ＳＴ１，ＳＴ２，…，ＳＴｎからなり、これら電話端末ＳＴ１，ＳＴ２，…，ＳＴｎと電話回線Ｌ２とを交換接続する機能を有している。
【００１７】
この電話回線Ｌ２は、アナログ回線（公衆電話網ＰＳＴＮ：Public Switched Telephone Network）やＩＳＤＮ（Integrated Services Digital Network）回線からなり、電話制御装置ＭＥは、電話回線Ｌ２を介してＰＳＴＮ用やＩＳＤＮ用の呼制御信号を送受信する機能を有している。なお、本実施の形態では、電話回線Ｌ２として、電話番号「０ｘ−ｘｘｘ−ｘｘ０１」からなる電話回線Ｌ２１と、電話番号「０ｘ−ｘｘｘ−ｘｘ０２」からなる電話回線Ｌ２２の２本のアナログ回線が、電話システム２０とＶｏＩＰゲートウェイ装置１０との間に接続されているものとして説明する。
【００１８】
ＩＰ端末３０は、ＩＰ回線Ｌ３を介してＶｏＩＰゲートウェイ装置１０に接続されたＩＰ電話端末であり、電話システム２０の電話端末ＳＴ１，ＳＴ２，…，ＳＴｎやＩＰ電話網ＮＷ上の任意の相手電話機（図示せず）と通話を行う機能を有している。
【００１９】
本実施の形態は、ＩＰ電話網ＮＷと電話システム２０との間に接続されるＶｏＩＰゲートウェイ装置１０に擬似呼制御部１５を設けて、電話システム２０からの外線発信をＶｏＩＰゲートウェイ装置１０で折り返して電話システム２０へ着信させることにより、ＩＰ電話網ＮＷ側の網側回線Ｌ１が使用できない場合でも、電話システム２０の外線系に関する設定内容を確認するようにしたものである。
【００２０】
［ＶｏＩＰゲートウェイ装置］
次に、図１を参照して、本実施の形態にかかるＶｏＩＰゲートウェイ装置１０について詳細に説明する。
ＶｏＩＰゲートウェイ装置１０には、主な機能部として、回線Ｉ／Ｆ部１１、端末Ｉ／Ｆ部１２、網側Ｉ／Ｆ部１３、ゲートウェイ処理部１４、および擬似呼制御部１５が設けられている。
【００２１】
回線Ｉ／Ｆ部１１は、電話回線Ｌ２を介して電話システム２０との間で呼制御信号をやり取りする機能を有している。本実施の形態では、電話システム２０がアナログ回線対応であり、回線Ｉ／Ｆ部１１がＰＳＴＮ用の呼制御信号を電話制御装置ＭＥとの間でやり取りする場合を例として説明する。
【００２２】
端末Ｉ／Ｆ部１２は、ＩＰ回線Ｌ３を介してＩＰ端末３０との間で、ＳＩＰ（Session Initiation Protocol）に基づく呼制御メッセージをやり取りする機能を有している。本実施の形態では、呼制御プロトコルとして、ＳＩＰを用いた場合を例として説明するが、これに限定されているものではなく、Ｈ．３２３などの他の呼制御プロトコルを用いる場合でも、同様にして本発明を適用できる。
【００２３】
網側Ｉ／Ｆ部１３は、網側回線Ｌ１の使用可否を検出する機能と、使用可否の検出結果に応じて、自装置の動作モードを、ＩＰ電話網ＮＷ側の呼制御に従う通常モードと、擬似呼制御部１５での呼制御に従う擬似呼制御モードとのいずれかに切り替える機能と、通常モードの場合には、ゲートウェイ処理部１４とＩＰ電話網ＮＷとの間でＳＩＰに基づく呼制御メッセージをやり取りする機能と、擬似呼制御モードの場合には、ゲートウェイ処理部１４と擬似呼制御部１５との間でＳＩＰに基づく呼制御メッセージをやり取りする機能とを有している。
【００２４】
ゲートウェイ処理部１４は、網側Ｉ／Ｆ部１３を介してＩＰ電話網ＮＷまたは擬似呼制御部１５とやり取りする呼制御メッセージと、回線Ｉ／Ｆ部１１を介して電話システム２０とやり取りする呼制御信号と、端末Ｉ／Ｆ部１２を介してＩＰ端末３０とやり取りする呼制御メッセージとを、相互にプロトコル変換することにより、ＩＰ電話網ＮＷ側または擬似呼制御部１５と、電話システム２０およびＩＰ端末３０とを交換接続する機能を有している。
【００２５】
擬似呼制御部１５は、擬似呼制御モードの際、網側Ｉ／Ｆ部１３を介してゲートウェイ処理部１４との間で呼制御メッセージをやり取りすることにより、電話システム２０を擬似的に呼制御する機能を有している。
なお、ＶｏＩＰゲートウェイ装置１０の動作モードについては、網側回線Ｌ１の使用可否に応じて網側Ｉ／Ｆ部１３が自動的に切替設定してもよいが、ＶｏＩＰゲートウェイ装置１０に設けられた設定スイッチやＩＰ端末３０からの設定操作に応じて、工事者がＶｏＩＰゲートウェイ装置１０の動作モードを切替設定してもよい。
【００２６】
［第１の実施の形態の動作］
次に、図２および図３を参照して、本実施の形態にかかるＶｏＩＰゲートウェイ装置１０の動作について説明する。図２は、第１の実施の形態にかかる設定確認動作の概略を示す説明図である。図３は、第１の実施の形態にかかる設定確認動作を示すシーケンス図である。
以下では、ＶｏＩＰゲートウェイ装置１０の動作モードが擬似呼制御モードに切替設定されており、ＶｏＩＰゲートウェイ装置１０を利用して、電話システム２０におけるダイヤルイン機能の設定内容を確認する場合について説明する。ダイヤルイン機能とは、特定の外線番号への着信を対応付けられた内線番号への個別着信として呼処理する機能である。
【００２７】
まず、電話制御装置ＭＥにおいて、工事者がダイヤルイン機能の設定内容として、外線番号「０ｘ−ｘｘｘ−ｘｘ０２」と内線番号「＃２」とを対応付けて設定する（ステップ１００）。これにより、電話番号「０ｘ−ｘｘｘ−ｘｘ０２」への着信が内線番号「＃２」と対応する電話端末ＳＴ２への個別着信として呼制御されることになる。
【００２８】
この後、ダイヤルイン機能の設定内容を確認するため、工事者が電話端末ＳＴ１（＃１）で、電話番号「０ｘ−ｘｘｘ−ｘｘ０１」の電話回線Ｌ２１を捕捉して、電話回線Ｌ２２の電話番号「０ｘ−ｘｘｘ−ｘｘ０２」への外線発信操作を行った場合（ステップ１０１）、電話端末ＳＴ１から電話制御装置ＭＥに対して外線発信操作が通知される（ステップ１０２）。
電話制御装置ＭＥは、電話端末ＳＴ１からの外線発信操作に応じて、電話回線Ｌ２１を捕捉して電話番号「０ｘ−ｘｘｘ−ｘｘ０２」を送出することにより、外線発信を行う（ステップ１０３）。
【００２９】
一方、ＶｏＩＰゲートウェイ装置１０のゲートウェイ処理部１４は、回線Ｉ／Ｆ部１１を介して通知された電話制御装置ＭＥからの外線発信を受け付け、受信した電話番号「０ｘ−ｘｘｘ−ｘｘ０２」を宛先とする発呼用ＩＮＶＩＴＥメッセージに変換して網側Ｉ／Ｆ部１３へ転送する（ステップ１０４）。
網側Ｉ／Ｆ部１３は、自装置の動作モードが擬似呼制御モードであることから、ゲートウェイ処理部１４と擬似呼制御部１５との間でＳＩＰに基づく呼制御メッセージをやり取りする。
【００３０】
擬似呼制御部１５は、網側Ｉ／Ｆ部１３を介してゲートウェイ処理部１４からの発呼用ＩＮＶＩＴＥメッセージを受信し、その宛先が予め登録されている電話システム２０の電話番号に該当することから、電話システム２０に対する外線着信を通知するため、電話番号「０ｘ−ｘｘｘ−ｘｘ０２」を宛先とする着呼用ＩＮＶＩＴＥメッセージを生成して、網側Ｉ／Ｆ部１３へ送信する（ステップ１１０）。
【００３１】
ゲートウェイ処理部１４は、網側Ｉ／Ｆ部１３を介して擬似呼制御部１５からの着呼用ＩＮＶＩＴＥメッセージを受け付け、宛先として指定された電話番号「０ｘ−ｘｘｘ−ｘｘ０２」の電話回線Ｌ２２に対する外線着信を、回線Ｉ／Ｆ部１１から電話制御装置ＭＥへ出力する（ステップ１１１）。
【００３２】
電話制御装置ＭＥは、電話番号「０ｘ−ｘｘｘ−ｘｘ０２」の電話回線Ｌ２２に対する外線着信に応じて、ダイヤルイン機能の設定を参照し、電話番号「０ｘ−ｘｘｘ−ｘｘ０２」と対応する内線番号「＃２」を特定し（ステップ１１２）、回線Ｉ／Ｆ部１１から内線番号「＃２」に対応する電話端末ＳＴ２に対して外線個別着信を通知する（ステップ１１３）。これにより、電話端末ＳＴ２でＬＥＤなどにより外線個別着信が表示される（ステップ１１４）。
【００３３】
一方、擬似呼制御部１５は、着呼用ＩＮＶＩＴＥメッセージ送信後、発呼用ＩＮＶＩＴＥメッセージに対する１００Ｔｒｙｉｎｇメッセージを、網側Ｉ／Ｆ部１３を介してゲートウェイ処理部１４へ返送する（ステップ１２０）。
また、ゲートウェイ処理部１４は、着呼用ＩＮＶＩＴＥメッセージの受信後、着側１８０Ｒｉｎｇｉｎｇメッセージを網側Ｉ／Ｆ部１３を介して擬似呼制御部１５へ返送する（ステップ１２１）。
【００３４】
擬似呼制御部１５は、ゲートウェイ処理部１４からの着側１８０Ｒｉｎｇｉｎｇメッセージに応じて、発側１８０Ｒｉｎｇｉｎｇメッセージを網側Ｉ／Ｆ部１３を介してゲートウェイ処理部１４へ返送する（ステップ１２２）。
ゲートウェイ処理部１４は、擬似呼制御部１５からの発側１８０Ｒｉｎｇｉｎｇメッセージに応じて、回線Ｉ／Ｆ部１１から発側の電話端末ＳＴ１の電話回線Ｌ２１に対してＲＢＴ（Ringing Back Tone）を送出する（ステップ１２３）。これにより、電話制御装置ＭＥから電話端末ＳＴ１へ通話路を介してＲＢＴが流され（ステップ１２４）、電話端末ＳＴ１でＲＢＴが送出される（ステップ１２５）。
【００３５】
この後、工事者により、電話端末ＳＴ２で外線個別着信に対する応答操作が行われた場合（ステップ１３０）、電話端末ＳＴ２から電話制御装置ＭＥに対して外線着信応答操作が通知される（ステップ１３１）。
電話制御装置ＭＥは、電話端末ＳＴ２からの外線着信応答操作に応じて、電話番号「０ｘ−ｘｘｘ−ｘｘ０２」の電話回線Ｌ２２を捕捉して外線着信に応答する（ステップ１３２）。
【００３６】
ゲートウェイ処理部１４は、回線Ｉ／Ｆ部１１で検出された電話制御装置ＭＥによる電話回線Ｌ２２への外線着信応答に応じて、着呼用ＩＮＶＩＴＥメッセージに対する着信応答を示す着信２００ＯＫメッセージを網側Ｉ／Ｆ部１３へ転送する（ステップ１３３）。
擬似呼制御部１５は、網側Ｉ／Ｆ部１３を介してゲートウェイ処理部１４からの着信２００ＯＫメッセージを受信し、発側２００ＯＫメッセージを網側Ｉ／Ｆ部１３を介してゲートウェイ処理部１４へ返送する（ステップ１３４）。
【００３７】
これにより、ゲートウェイ処理部１４を介して、電話回線Ｌ２１に接続されている電話端末ＳＴ１側の通話路と電話回線Ｌ２２に接続されている電話端末ＳＴ２側の通話路とが中継接続され、電話端末ＳＴ１と電話端末ＳＴ２との音声通話が開始される（ステップ１３５）。
したがって、工事者は、電話端末ＳＴ１での電話番号「０ｘ−ｘｘｘ−ｘｘ０２」への外線発信に応じて、ダイヤルイン機能の設定内容に応じた電話端末ＳＴ２への外線個別着信表示を確認し、さらには、電話端末ＳＴ２での応答操作に応じて、電話端末ＳＴ１と電話端末ＳＴ２との音声通話を確認することにより、ダイヤルイン機能の設定内容が正しく登録されているのを確認する。
【００３８】
［第１の実施の形態の効果］
このように、本実施の形態は、擬似呼制御部１５が、自装置が電話システム２０の設定内容を確認するための擬似呼制御モードで動作する際、網側Ｉ／Ｆ部１３を介してゲートウェイ処理部１４との間で呼制御メッセージをやり取りすることにより、電話システム２０を擬似的に呼制御するようにしたものである。
これにより、ＩＰ電話網ＮＷ側の網側回線Ｌ１が使用できない場合でも、ＶｏＩＰゲートウェイ装置１０により電話システム２０が擬似的に呼制御されることになる。このため、電話システム２０の電話回線Ｌ２１から自装置に収容している電話回線Ｌ２２へ外線発信することにより、電話回線Ｌ２２に対する設定確認を実施することが可能となる。
【００３９】
また、本実施の形態において、網側Ｉ／Ｆ部１３が、網側回線Ｌ１の使用可否を検出し、網側回線Ｌ１が使用不可の場合には、自装置の動作モードを擬似呼制御モードに切替設定し、ゲートウェイ処理部１４と擬似呼制御部１５との間で呼制御メッセージをやり取りするようにしてもよい。さらには、網側回線Ｌ１が使用可の場合には、自装置の動作モードを通常モードに切替設定し、ゲートウェイ処理部１４とＩＰ電話網ＮＷ側との間で呼制御メッセージをやり取りするようにしてもよい。
これにより、網側回線Ｌ１の使用可否に応じて自動的に自装置の動作モードを擬似呼制御モードと通常モードとを切り替えることができ、工事者による設定確認のためのモード切替操作を省くことができる。
【００４０】
［第２の実施の形態］
次に、本発明の第２の実施の形態にかかるＶｏＩＰゲートウェイ装置１０について説明する。
本実施の形態は、ＶｏＩＰゲートウェイ装置１０に接続されているＩＰ端末３０からの外線発信をＶｏＩＰゲートウェイ装置１０で折り返して電話システム２０へ着信させることにより、ＩＰ電話網ＮＷ側の網側回線が使用できない場合でも、電話システム２０の外線系に関する設定内容を確認するようにしたものである。
【００４１】
［第２の実施の形態の動作］
次に、図４および図５を参照して、本実施の形態にかかるＶｏＩＰゲートウェイ装置１０の動作について説明する。図４は、第２の実施の形態にかかる設定確認動作の概略を示す説明図である。図５は、第２の実施の形態にかかる設定確認動作を示すシーケンス図である。
以下では、ＶｏＩＰゲートウェイ装置１０の動作モードが擬似呼制御モードに切替設定されており、ＶｏＩＰゲートウェイ装置１０とＩＰ端末３０とを利用して、電話システム２０におけるダイヤルイン機能の設定内容を確認する場合について説明する。
【００４２】
まず、電話制御装置ＭＥにおいて、工事者がダイヤルイン機能の設定内容として、外線番号「０ｘ−ｘｘｘ−ｘｘ０２」と内線番号「＃２」とを対応付けて設定する（ステップ２００）。これにより、電話番号「０ｘ−ｘｘｘ−ｘｘ０２」への着信が内線番号「＃２」と対応する電話端末ＳＴ２への個別着信として呼制御されることになる。
【００４３】
この後、ダイヤルイン機能の設定内容を確認するため、工事者が、電話端末ＳＴ１ではなく、ＩＰ端末３０で、電話回線Ｌ２２の電話番号「０ｘ−ｘｘｘ−ｘｘ０２」への外線発信操作を行う（ステップ２０１）。これにより、ＩＰ端末３０から端末Ｉ／Ｆ部１２を介してゲートウェイ処理部１４へ、電話番号「０ｘ−ｘｘｘ−ｘｘ０２」を宛先とするＩＮＶＩＴＥメッセージが通知され（ステップ２０２）、ゲートウェイ処理部１４から網側Ｉ／Ｆ部１３へ、前述と同様の発呼用ＩＮＶＩＴＥメッセージが転送される（ステップ２０３）。
【００４４】
擬似呼制御部１５は、網側Ｉ／Ｆ部１３を介してゲートウェイ処理部１４からの発呼用ＩＮＶＩＴＥメッセージを受信し、その宛先が予め登録されている電話システム２０の電話番号に該当することから、電話システム２０に対する外線着信を通知するため、電話番号「０ｘ−ｘｘｘ−ｘｘ０２」を宛先とする着呼用ＩＮＶＩＴＥメッセージを生成して、網側Ｉ／Ｆ部１３へ送信する（ステップ２１０）。
【００４５】
ゲートウェイ処理部１４は、網側Ｉ／Ｆ部１３を介して擬似呼制御部１５からの着呼用ＩＮＶＩＴＥメッセージを受け付け、宛先として指定された指定された電話番号「０ｘ−ｘｘｘ−ｘｘ０２」の電話回線Ｌ２２に対する外線着信を、回線Ｉ／Ｆ部１１から電話制御装置ＭＥへ出力する（ステップ２１１）。
【００４６】
電話制御装置ＭＥは、電話番号「０ｘ−ｘｘｘ−ｘｘ０２」の電話回線Ｌ２２に対する外線着信に応じて、ダイヤルイン機能の設定を参照し、電話番号「０ｘ−ｘｘｘ−ｘｘ０２」と対応する内線番号「＃２」を特定し（ステップ２１２）、回線Ｉ／Ｆ部１１から内線番号「＃２」に対応する電話端末ＳＴ２に対して外線個別着信を通知する（ステップ２１３）。これにより、電話端末ＳＴ２でＬＥＤなどにより外線個別着信が表示される（ステップ２１４）。
【００４７】
一方、擬似呼制御部１５は、着呼用ＩＮＶＩＴＥメッセージ送信後、発呼用ＩＮＶＩＴＥメッセージに対する１００Ｔｒｙｉｎｇメッセージを、網側Ｉ／Ｆ部１３を介してゲートウェイ処理部１４へ返送する（ステップ２２０）。これにより、ゲートウェイ処理部１４から端末Ｉ／Ｆ部１２を介してＩＰ端末３０へ１００Ｔｒｙｉｎｇメッセージが転送される（ステップ２２１）。
【００４８】
また、ゲートウェイ処理部１４は、着呼用ＩＮＶＩＴＥメッセージの受信後、着側１８０Ｒｉｎｇｉｎｇメッセージを網側Ｉ／Ｆ部１３を介して擬似呼制御部１５へ返送する（ステップ２２２）。
擬似呼制御部１５は、ゲートウェイ処理部１４からの着側１８０Ｒｉｎｇｉｎｇメッセージに応じて、発側１８０Ｒｉｎｇｉｎｇメッセージを網側Ｉ／Ｆ部１３を介してゲートウェイ処理部１４へ返送する（ステップ２２３）。
【００４９】
これに応じて、ゲートウェイ処理部１４から端末Ｉ／Ｆ部１２を介してＩＰ端末３０へ発側１８０Ｒｉｎｇｉｎｇメッセージが転送される（ステップ２２４）。これにより、ＩＰ端末３０は、擬似呼制御部１５からの発側１８０Ｒｉｎｇｉｎｇメッセージに応じて、通話路へＲＢＴが送出される（ステップ２２５）。
【００５０】
この後、工事者により、電話端末ＳＴ２で外線個別着信に対する応答操作が行われた場合（ステップ２３０）、電話端末ＳＴ２から電話制御装置ＭＥに対して外線着信応答操作が通知される（ステップ２３１）。
電話制御装置ＭＥは、電話端末ＳＴ２からの外線着信応答操作に応じて、電話番号「０ｘ−ｘｘｘ−ｘｘ０２」の電話回線Ｌ２２を捕捉して外線着信に応答する（ステップ２３２）。
【００５１】
ゲートウェイ処理部１４は、回線Ｉ／Ｆ部１１で検出された電話制御装置ＭＥによる電話回線Ｌ２２への外線着信応答に応じて、着呼用ＩＮＶＩＴＥメッセージに対する着信応答を示す着信２００ＯＫメッセージを網側Ｉ／Ｆ部１３へ転送する（ステップ２３３）。
擬似呼制御部１５は、網側Ｉ／Ｆ部１３を介してゲートウェイ処理部１４からの着信２００ＯＫメッセージを受信し、発側２００ＯＫメッセージを網側Ｉ／Ｆ部１３を介してゲートウェイ処理部１４へ返送する（ステップ２３４）。
【００５２】
これにより、ゲートウェイ処理部１４を介して、ＩＰ回線Ｌ３に接続されているＩＰ端末３０側の通話路と電話回線Ｌ２２に接続されている電話端末ＳＴ２側の通話路とが中継接続され、ＩＰ端末３０と電話端末ＳＴ２との音声通話が開始される（ステップ２３５）。
したがって、工事者は、ＩＰ端末３０での電話番号「０ｘ−ｘｘｘ−ｘｘ０２」への外線発信に応じて、ダイヤルイン機能の設定内容に応じた電話端末ＳＴ２への外線個別着信表示を確認し、さらには、電話端末ＳＴ２での応答操作に応じて、ＩＰ端末３０と電話端末ＳＴ２との音声通話を確認することにより、ダイヤルイン機能の設定内容が正しく登録されているのを確認する。
【００５３】
［第２の実施の形態の効果］
このように、本実施の形態は、自装置が電話システム２０の設定内容を確認するための擬似呼制御モードで動作する際、ゲートウェイ処理部１４が、端末Ｉ／Ｆ部１２を介して接続されたＩＰ端末３０から送出された、電話回線Ｌ２に対する外線発信を示す呼制御メッセージに応じて、外線発信を示す発呼用呼制御メッセージを網側Ｉ／Ｆ部１３へ通知し、これに応じて、擬似呼制御部１５が、電話システム２０を擬似的に呼制御するようにしたものである。
【００５４】
これにより、ＩＰ端末３０から電話システム２０の電話回線Ｌ２へ外線発信することにより、ＶｏＩＰゲートウェイ装置１０により電話システム２０が擬似的に呼制御されることになる。したがって、電話回線Ｌ２が１回線しかない場合でも、電話回線Ｌ２に対する設定確認を実施することが可能となる。
【００５５】
［実施の形態の拡張］
以上、実施形態を参照して本発明を説明したが、本発明は上記実施形態に限定されるものではない。本発明の構成や詳細には、本発明のスコープ内で当業者が理解しうる様々な変更をすることができる。また、各実施形態については、矛盾しない範囲で任意に組み合わせて実施することができる。
【符号の説明】
【００５６】
１０…ＶｏＩＰゲートウェイ装置、１１…回線Ｉ／Ｆ部、１２…端末Ｉ／Ｆ部、１３…網側Ｉ／Ｆ部、１４…ゲートウェイ処理部、１５…擬似呼制御部、２０…電話システム、ＭＥ…電話制御装置、ＳＴ１，ＳＴ２，…，ＳＴＮ…電話端末、３０…ＩＰ電話端末、Ｌ１…網側回線、Ｌ２，Ｌ２１，Ｌ２２…電話回線、Ｌ３…ＩＰ回線、ＬＮ…内線回線、ＮＷ…ＩＰ電話網。
【図１】
2018011187.tif 000003
【図２】
2018011187.tif 000004
【図３】
2018011187.tif 000005
【図４】
2018011187.tif 000006
【図５】
2018011187.tif 000007